(57)【要約】【課題】通信機能の利用状況に応じて、同一の場所においても通信機能のＯＮ／ＯＦＦを切り替えられるようにする。【解決手段】位置時刻情報記憶部４１は、通信部１２への電力供給を停止すべき位置および時刻の組み合わせを示す停止位置時刻情報を記憶しておく。そして、電力供給制御部２９は、通信部１２が使用されていない場合に、位置情報取得部１６が取得した現在位置情報と時計部１５が取得した現在時刻情報との組み合わせが、位置時刻情報記憶部４１の記憶している停止位置時刻情報に該当するか否かを判定する。このように、電力供給制御部２９が、位置情報と時刻情報との組み合わせに基づいて通信部１２への電力供給を停止するか否かを判定することで、同一の場所においても通信機能のＯＮ／ＯＦＦ（通信部１２への電力供給の有無）を切り替え得る。【選択図】図１
2013251693.tif 000002
【特許請求の範囲】
【請求項１】
通信部と、
前記通信部へ電力を供給する電源部と、
前記通信部への電力供給を停止すべき位置および時刻の組み合わせを示す停止位置時刻情報を記憶する位置時刻情報記憶部と、
自らの現在位置情報を取得する位置情報取得部と、
現在時刻情報を取得する時計部と、
前記通信部が使用されておらず、かつ、前記位置情報取得部が取得した前記現在位置情報と前記時計部が取得した前記現在時刻情報との組み合わせが、前記停止位置時刻情報として前記位置時刻情報記憶部に登録されていると判定すると、前記電源部から前記通信部への電力供給を停止させる電力供給制御部と、
を具備することを特徴とする電子機器。
【請求項２】
前記位置時刻情報記憶部は、位置情報と時刻情報との組み合わせ毎に、前記位置情報取得部が取得した前記現在位置情報と前記時計部が取得した前記現在時刻情報との組み合わせとしての出現頻度を示す出現頻度情報を記憶し、
前記電力供給制御部は、前記通信部が使用されておらず、かつ、前記位置情報取得部が取得した前記現在位置情報と前記時計部が取得した前記現在時刻情報との組み合わせの前記出現頻度が所定の閾値以上であると判定すると、前記通信部への電力供給を停止させる、
ことを特徴とする請求項１に記載の電子機器。
【請求項３】
前記位置時刻情報記憶部の記憶する前記位置情報と前記時刻情報との組み合わせについて、当該位置情報が前記位置情報取得部の取得した前記現在位置情報に一致し、当該時刻情報が前記時計部の取得した前記現在時刻情報に一致し、かつ、前記通信部が使用されていないと判定される状態が、所定期間以上出現していないと判定すると、当該位置情報と当該時刻情報との組み合わせの、前記停止位置時刻情報としての登録を抹消することを特徴とする請求項２に記載の電子機器。
【請求項４】
通信部と、
前記通信部へ電力を供給する電源部と、
前記通信部への電力供給を停止すべき位置および時刻の組み合わせを示す停止位置時刻情報を記憶する位置時刻情報記憶部と、
を具備する電子機器の電力供給制御方法であって、
前記電子機器の現在位置情報を取得する位置情報取得ステップと、
現在時刻情報を取得する現在時刻取得ステップと、
前記通信部が使用されておらず、かつ、前記位置情報取得ステップにて取得した前記現在位置情報と前記現在時刻取得ステップにて取得した前記現在時刻情報との組み合わせが、前記停止位置時刻情報として前記位置時刻情報記憶部に登録されていると判定すると、前記電源部から前記通信部への電力供給を停止させる電力供給制御ステップと、
を具備することを特徴とする電力供給制御方法。
【請求項５】
通信部と、
前記通信部へ電力を供給する電源部と、
前記通信部への電力供給を停止すべき位置および時刻の組み合わせを示す停止位置時刻情報を記憶する位置時刻情報記憶部と、
を具備する電子機器としてのコンピュータに、
前記電子機器の現在位置情報を取得する位置情報取得ステップと、
現在時刻情報を取得する現在時刻取得ステップと、
前記通信部が使用されておらず、かつ、前記位置情報取得ステップにて取得した前記現在位置情報と前記現在時刻取得ステップにて取得した前記現在時刻情報との組み合わせが、前記停止位置時刻情報として前記位置時刻情報記憶部に登録されていると判定すると、前記電源部から前記通信部への電力供給を停止させる電力供給制御ステップと、
を実行させるためのプログラム。
【発明の詳細な説明】
【技術分野】
【０００１】
本発明は、電子機器、電力供給制御方法およびプログラムに関する。
【背景技術】
【０００２】
携帯電話機とカーナビゲーションシステム（Car Navigation System）とが近距離無線通信を行うなど、近距離無線通信機能の用途の増加に伴い、携帯電話機の近距離無線通信機能を常時ＯＮとする使用形態をとるユーザが増えている。
一方、近距離無線通信機能を常時ＯＮとすることで、通信を行っているか否かにかかわらず当該近距離無線通信機能を実現する回路に常時電流が流れるようになり、携帯電話機の消費電力が増大してしまう。また、近距離無線通信機能には、接続可能な機器を検索する周辺機器サーチを繰り返す仕様のものがある。かかる周辺機器サーチを行う場合、近距離無線通信機能を常時ＯＮとすることで、携帯電話機の消費電力が更に増大してしまう。
【０００３】
そこで、近距離無線通信機能のＯＮ／ＯＦＦを自動的に切り替える幾つかの技術が提案されている。
例えば、特許文献１に記載の構成は、セルラ通信システムの割り当てられたセル通信範囲内でセル通信局と非接触通信するように設計された第１の通信手段を有し、第１の通信手段と独立して第２の通信システムと非接触通信するように設計された第２の通信手段を有し、第２の通信手段は、供給され得る起動信号を用いて起動可能であるように設計され、第１の通信手段とセル通信局との間の通信信号を評価することにより、セル通信範囲内で第２の通信システムの存在を検出し、第２の通信システムの存在が検出されたときに、第２の通信手段に起動信号を出力するように設計された起動手段を有する。
これにより、例えばその構成のソフトウェアの比較的簡単な適合により実装され得るため、冗長な電力を消費する構成要素が必要ない、とされている。また、冗長な構成要素が回避されるため、ハードウェアコストも低いままになり、更に、最適な電力消費管理が実現される、とされている。
【０００４】
また、特許文献２に記載の携帯電話機は、ワイヤレスネットワークに参加するための近距離無線通信機能と、衛星及び／又は地上基地局との通信に基づく測位機能とを有する携帯電話機であって、測位機能を利用して近距離無線通信機能をオンとすべき１或いは複数のエリアを登録するためのエリア登録手段と、測位機能により登録されているエリアから逸脱したことを検知して近距離無線通信機能をオンからオフに切り換える通信機能オン／オフ手段とを具える。
これにより、ネットワークの設置エリアから離れることに伴って、近距離無線通信機能を自動的にオンからオフとすることが出来るので、ユーザの操作は不要であり、電力の浪費を生じることもない、とされている。
【先行技術文献】
【特許文献】
【０００５】
【特許文献１】特開２００７−５２５８８１号公報
【特許文献２】特開２００２−２９０３０８号公報
【発明の概要】
【発明が解決しようとする課題】
【０００６】
ユーザが近距離無線通信機能を利用しない場合として、通信可能な機器が通信可能圏内に無い場合の他に、会議出席時や睡眠時などユーザが近距離無線通信機能を有する機器を操作できない場合が考えられる。かかる場合、近距離無線通信機能をＯＦＦにすることができれば、携帯電話機の消費電力を低減させることができる。
【０００７】
しかしながら、特許文献１に記載の構成は、第２の通信システムの存在を検出すると第２の通信手段に起動信号を出力するので、ユーザが近距離無線通信機能を利用するか否かにかかわらず、第２の通信手段のＯＮ／ＯＦＦが切り替わってしまう。また、特許文献１の構成では、同一の場所においてユーザの状況に応じて第２の通信手段のＯＮ／ＯＦＦを切り替えることはできない。例えば、同一の室内においてユーザが活動中か睡眠中かに応じて第２の通信手段のＯＮ／ＯＦＦを切り替えることはできない。
【０００８】
また、特許文献２に記載の携帯電話機では、近距離無線通信機能のＯＮ／ＯＦＦを切り替えるために、ユーザがエリアの登録操作を行う必要があり、ユーザにとって負担となる。また、特許文献２に記載の携帯電話機でも、同一の場所においてユーザの状況に応じて第２の通信手段のＯＮ／ＯＦＦを切り替えることはできない。
【０００９】
本発明は、上述の課題を解決することのできる電子機器、電力供給制御方法およびプログラムを提供することを目的としている。
【課題を解決するための手段】
【００１０】
この発明は上述した課題を解決するためになされたもので、本発明の一態様による電子機器は、通信部と、前記通信部へ電力を供給する電源部と、前記通信部への電力供給を停止すべき位置および時刻の組み合わせを示す停止位置時刻情報を記憶する位置時刻情報記憶部と、自らの現在位置情報を取得する位置情報取得部と、現在時刻情報を取得する時計部と、前記通信部が使用されておらず、かつ、前記位置情報取得部が取得した前記現在位置情報と前記時計部が取得した前記現在時刻情報との組み合わせが、前記停止位置時刻情報として前記位置時刻情報記憶部に登録されていると判定すると、前記電源部から前記通信部への電力供給を停止させる電力供給制御部と、を具備することを特徴とする。
【００１１】
また、本発明の一態様による電力供給制御方法は、通信部と、前記通信部へ電力を供給する電源部と、前記通信部への電力供給を停止すべき位置および時刻の組み合わせを示す停止位置時刻情報を記憶する位置時刻情報記憶部と、を具備する電子機器の電力供給制御方法であって、前記電子機器の現在位置情報を取得する位置情報取得ステップと、現在時刻情報を取得する現在時刻取得ステップと、前記通信部が使用されておらず、かつ、前記位置情報取得ステップにて取得した前記現在位置情報と前記現在時刻取得ステップにて取得した前記現在時刻情報との組み合わせが、前記停止位置時刻情報として前記位置時刻情報記憶部に登録されていると判定すると、前記電源部から前記通信部への電力供給を停止させる電力供給制御ステップと、を具備することを特徴とする。
【００１２】
また、本発明の一態様によるプログラムは、通信部と、前記通信部へ電力を供給する電源部と、前記通信部への電力供給を停止すべき位置および時刻の組み合わせを示す停止位置時刻情報を記憶する位置時刻情報記憶部と、を具備する電子機器としてのコンピュータに、前記電子機器の現在位置情報を取得する位置情報取得ステップと、現在時刻情報を取得する現在時刻取得ステップと、前記通信部が使用されておらず、かつ、前記位置情報取得ステップにて取得した前記現在位置情報と前記現在時刻取得ステップにて取得した前記現在時刻情報との組み合わせが、前記停止位置時刻情報として前記位置時刻情報記憶部に登録されていると判定すると、前記電源部から前記通信部への電力供給を停止させる電力供給制御ステップと、を実行させるためのプログラムである。
【発明の効果】
【００１３】
本発明によれば、同一の場所においても通信機能のＯＮ／ＯＦＦを切り替え得る。
【図面の簡単な説明】
【００１４】
【図１】本発明の一実施形態における電子機器の機能構成を示す概略ブロック図である。
【図２】同実施形態における携帯電話機の機能構成を示す概略ブロック図である。
【図３】同実施形態における位置時刻情報記憶部が記憶する情報のデータ構造を示す説明図である。
【図４】同実施形態における携帯電話機の装置構成を示す概略構成図である。
【図５】同実施形態において、電力供給制御部および位置時刻情報管理部が行う処理の手順を示すフローチャートである。
【図６】同実施形態において、携帯電話機が通信不使用を検出して近距離無線通信機能を停止させる動作の例を示すシーケンス図である。
【発明を実施するための形態】
【００１５】
以下、図面を参照して、本発明の実施の形態について説明する。
図１は、本発明の一実施形態における電子機器の機能構成を示す概略ブロック図である。同図において、電子機器１は、通信部１２と、時計部１５と、位置情報取得部１６と、電源部１９と、電力供給制御部２９と、位置時刻情報記憶部４１とを具備する。
【００１６】
通信部１２は、通信を行う。この通信部１２は、実際に通信を行っていなくても待機電力などの電力を消費する。通信部１２が通信を行わないときに当該通信部１２への電力供給を停止できれば、電子機器１の消費電力を低減させることができる。
電源部１９は、電子機器１の各部へ電力を供給する。特に、電源部１９は、通信部１２へ電力を供給する。
【００１７】
位置時刻情報記憶部４１は、通信部１２への電力供給を停止すべき位置および時刻の組み合わせを示す停止位置時刻情報を記憶する。ここで、位置時刻情報記憶部４１は、通信部１２への電力供給を停止すべき位置および時刻の組み合わせとして、ユーザの生活パターンからして通信部１２の通信機能を利用しないときの位置および時刻の組み合わせを記憶している。例えば、会議に出席中あるいは睡眠中などでユーザが通信機能の操作を行えなくなるときが、ユーザの生活パターンからして通信部１２の通信機能を利用しないときに該当する。
【００１８】
時計部１５は、現在時刻情報を取得する。
位置情報取得部１６は、位置情報取得部１６自らの現在位置情報（すなわち、電子機器１の現在位置情報）を取得する。
電力供給制御部２９は、通信部１２が使用されておらず、かつ、位置情報取得部１６が取得した現在位置情報と時計部１５が取得した現在時刻情報との組み合わせが、停止位置時刻情報として位置時刻情報記憶部４１に登録されていると判定すると、電源部１９から通信部１２への電力供給を停止させる。
【００１９】
例えば、電力供給制御部２９は、まず通信部１２が使用されているか否かを判定する。具体的には、電力供給制御部２９は、電子機器１がアプリケーション等の機能をユーザに提供するために用いられるデータである実データの送信も受信も行っていない時間が、所定時間以上継続しているか否かを判定する。そして、通信部１２が使用されていないと判定すると、電力供給制御部２９は、位置情報取得部１６が取得した現在位置情報と時計部１５が取得した現在時刻情報との組み合わせが、位置時刻情報記憶部４１の記憶している停止位置時刻情報に該当するか否かを判定する。該当すると判定した場合、電力供給制御部２９は、電源部１９から通信部１２への電力供給を停止させる。
【００２０】
以上のように、位置時刻情報記憶部４１は、通信部１２への電力供給を停止すべき位置および時刻の組み合わせを示す停止位置時刻情報を記憶しておく。そして、電力供給制御部２９は、通信部１２が使用されておらず、かつ、位置情報取得部１６が取得した現在位置情報と時計部１５が取得した現在時刻情報との組み合わせが、停止位置時刻情報として位置時刻情報記憶部４１に登録されていると判定すると、電源部１９から通信部１２への電力供給を停止させる。
このように、電力供給制御部２９が、位置情報と時刻情報との組み合わせに基づいて通信部１２への電力供給を停止するか否かを判定することで、同一の場所においても通信機能のＯＮ／ＯＦＦ（通信部１２への電力供給の有無）を切り替え得る。通信部１２への電力供給を停止することで、電子機器１の消費電力を低減させることができる。従って、電子機器１における効率的な電力活用が可能になる。また、電力供給制御部２９が、自動的に、通信部１２への電力供給を停止して通信機能を停止させることで、通信機能を停止させるユーザ操作が不要となる。この点で、ユーザの手間を削減できる。
【００２１】
次に、図２を参照して、本発明を携帯電話機に適用した場合を例に、本発明の実施形態についてさらに詳細に説明する。但し、本発明の適用範囲は、携帯電話機に限らない。例えば、ノートパソコン（Personal Computer）や、携帯情報端末（Personal Digital Assistant；ＰＤＡ）や、ゲーム機や、カーナビゲーションシステムなど、通信機能を有して移動可能な様々な電子機器に本発明を適用可能である。
【００２２】
図２は、本実施形態における携帯電話機の機能構成を示す概略ブロック図である。同図において、携帯電話機１００は、携帯電話通信部１１１と、近距離無線通信部１１２と、表示部１１３と、操作入力部１１４と、時計部１１５と、位置情報取得部１１６と、電源部１１９と、主制御部１２０と、記憶部１４０とを具備する。主制御部１２０は、携帯電話通信制御部１２１と、近距離無線通信制御部１２２と、表示制御部１２３と、入力処理部１２４と、電力供給制御部１２９と、アプリケーション実行部１３１と、位置時刻情報管理部１３２とを具備する。記憶部１４０は、位置時刻情報記憶部１４１を具備する。
【００２３】
携帯電話通信部１１１は、携帯電話網（通信事業者が提供する携帯電話用の無線通信ネットワーク）の基地局と無線通信することで携帯電話網に接続して通信する。
近距離無線通信部１１２は、通信圏内に位置する通信相手の機器と無線通信する。具体的には、近距離無線通信部１１２は、例えば１０メートル（ｍ）程度など比較的短距離の通信圏を有しており、通信圏内に位置する通信相手の機器を検索し、検出した機器と無線通信接続を確立して通信を行う。
【００２４】
この近距離無線通信部１１２は、通信部１２（図１）の一例である。ただし、本発明は、待受時や通信相手の検索時や制御信号の送受信時など、実データ（アプリケーション等に入出力されるデータ）の送受信時以外の時でも電力を消費する様々な通信部に適用可能であり、特定の通信方式に依存しない。例えば、近距離無線通信部１１２の通信方式として、Ｂｌｕｅｔｏｏｔｈ（登録商標）、ＺｉｇＢｅｅ（登録商標）またはＵＷＢ（Ultra Wide Band）など、様々な近距離無線通信方式を用いることができる。さらには、本発明の適用範囲は近距離無線通信に限らない。例えば携帯電話通信部１１１など、近距離無線通信以外の通信方式を用いる通信部に本発明を適用するようにしてもよい。
【００２５】
表示部１１３は、動画像や静止画像やテキスト（文字）など各種画像を表示する。
操作入力部１１４は、ユーザ操作を受け付ける。
時計部１１５は、現在時刻情報を取得する。
位置情報取得部１１６は、自らの現在位置情報（すなわち、携帯電話機１００の現在位置情報）を取得する。
電源部１１９は、電力供給制御部１２９の制御に従って携帯電話機１００の各部へ電力を供給する。特に、電源部１１９は、近距離無線通信部１１２へ電力を供給する。
【００２６】
記憶部１４０は、各種データを記憶する。
位置時刻情報記憶部１４１は、近距離無線通信部１１２への電力供給を停止すべき位置および時刻の組み合わせを示す停止位置時刻情報を記憶する。さらに、位置時刻情報記憶部１４１は、位置情報と時刻情報との組み合わせ毎に、位置情報取得部１１６が取得した現在位置情報と時計部１１５が取得した現在時刻情報との組み合わせとしての出現頻度を示す出現頻度情報を記憶する。
【００２７】
図３は、位置時刻情報記憶部１４１が記憶する情報のデータ構造を示す説明図である。位置時刻情報記憶部１４１は、位置情報と、時刻情報と、最新出現日情報と、出現頻度情報と、登録フラグとが対応付けられたデータを複数記憶可能である。位置時刻情報記憶部１４１が記憶する情報は、現在の位置および時刻が、近距離無線通信部１１２が使用されない位置および時刻に該当するか否かを、電力供給制御部１２９が判定するために用いられる。
【００２８】
位置情報欄は、近距離無線通信部１１２が使用されていないと電力供給制御部１２９が判定した際に、位置情報取得部１１６が取得した現在位置情報を格納する。なお、以下では、近距離無線通信部１１２が使用されていないと電力供給制御部１２９が判定したことを、「通信不使用」と表記する。電力供給制御部１２９は、近距離無線通信部１１２が実データの送信も受信も行っていない状態が所定時間以上継続すると、通信不使用と判定する。
時刻情報欄は、通信不使用の際に、時計部１１５が取得した現在時刻情報を格納する。
【００２９】
登録フラグ欄は、位置情報欄に格納されている位置情報と時刻情報欄に格納されている時刻情報との組み合わせを、近距離無線通信部１１２が使用されない位置および時刻の判定基準として用いるか否かを示すフラグである登録フラグを格納する。ここで、電力供給制御部１２９は、位置時刻情報記憶部１４１が記憶している位置情報と時刻情報との組み合わせのうち、通信不使用の際の位置および時刻としての出現頻度が所定の閾値以上であるものを、近距離無線通信部１１２が使用されない位置および時刻の判定基準として用いる。登録フラグは、この出現頻度が閾値以上か否かを示すフラグである。
以下では、出現頻度が閾値以上であることを示す登録フラグの値を「１」とする。また、出現頻度が閾値未満であることを示す登録フラグの値を「０」とする。登録フラグの初期値（該当するデータが生成された際の値）は、「０」に設定される。
【００３０】
なお、以下では、位置時刻情報記憶部１４１が記憶する情報のうち、近距離無線通信部１１２が使用されない位置および時刻の判定基準として採用されている情報を、「停止位置時刻情報」と表記する。一方、位置時刻情報記憶部１４１が記憶する情報のうち、近距離無線通信部１１２が使用されない位置および時刻の判定基準として採用されていない情報を、「登録前情報」と表記する。また、停止位置時刻情報と登録前情報とを総称して、「位置時刻情報」と称する。
【００３１】
出現頻度情報欄は、位置情報欄の位置情報が示す位置と時刻情報欄の時刻情報が示す時刻との組み合わせの、通信不使用の際の位置および時刻としての出現頻度を示す出現頻度情報を格納する。この出現頻度情報は、位置時刻情報管理部１３２が登録フラグを更新するために用いられる。
【００３２】
最新出現日情報欄は、位置情報欄の位置情報が示す位置と時刻情報欄の時刻情報が示す時刻との組み合わせが、通信不使用の際の位置および時刻として出現した最新の日付の情報を格納する。この最新出現日情報は、位置時刻情報管理部１３２が出現頻度情報を更新するために用いられる。
【００３３】
なお、位置時刻情報記憶部１４１が記憶する位置および時刻と、位置情報取得部１１６が取得した位置および時計部１１５が取得した時刻とが一致する可能性を持たせるため、位置時刻情報管理部１３２は、位置と時刻とにある程度の幅を持たせて比較する。
例えば、位置時刻情報記憶部１４１は、位置情報として緯度および経度を秒単位にて記憶する。また、位置時刻情報記憶部１４１は、時刻情報を１０分単位にて記憶する。そして、位置時刻情報管理部１３２は、位置情報取得部１１６が取得した現在位置情報と位置時刻情報に含まれる位置情報とを秒単位まで比較し、時計部１１５が取得した現在時刻情報と位置時刻情報に含まれる時刻情報とを１０分単位まで比較して、一致するか否かを判定する。
【００３４】
主制御部１２０は、携帯電話機１００の各部を制御して、各種機能をユーザに提供する。
携帯電話通信制御部１２１は、携帯電話通信部１１１を制御して通信を行わせる。近距離無線通信制御部１２２は、近距離無線通信部１１２を制御して通信を行わせる。表示制御部１２３は、表示部１１３を制御して各種画像を表示させる。入力処理部１２４は、操作入力部１１４が受け付けたユーザ操作を検出し、入力データとしてアプリケーション実行部１３１に出力する。
アプリケーション実行部１３１は、記憶部１４０の記憶している各種アプリケーションプログラムを実行して、アプリケーション機能（アプリケーションプログラム実行にて得られる機能）をユーザに提供する。
【００３５】
電力供給制御部１２９は、近距離無線通信部１１２が使用されておらず、かつ、位置情報取得部１１６が取得した現在位置情報と時計部１１５が取得した現在時刻情報との組み合わせが、停止位置時刻情報として位置時刻情報記憶部１４１に登録されていると判定すると、電源部１１９から近距離無線通信部１１２への電力供給を停止させる。
ここで、電力供給制御部１２９は、近距離無線通信制御部１２２から取得する、近距離無線通信部１１２の状態情報と、位置時刻情報管理部１３２から取得する、現在位置および現在時刻の位置時刻情報記憶部１４１への登録状況情報とに基づいて、近距離無線通信部１１２が使用されておらず、かつ、位置情報取得部１１６が取得した現在位置情報と時計部１１５が取得した現在時刻情報との組み合わせが、停止位置時刻情報として位置時刻情報記憶部１４１に登録されているか否かを判定する。
【００３６】
具体的には、電力供給制御部１２９は、近距離無線通信部１１２が実データの送信も受信も行っていない状態が所定時間以上継続していることを検出すると、現在位置と現在時刻との組み合わせが停止位置時刻情報として登録されているか否かの判定を位置時刻情報管理部１３２に要求する。そして、電力供給制御部１２９は、登録されているとの判定結果を位置時刻情報管理部１３２から受けると、近距離無線通信部１１２が使用されておらず、かつ、位置情報取得部１１６が取得した現在位置情報と時計部１１５が取得した現在時刻情報との組み合わせが、停止位置時刻情報として位置時刻情報記憶部１４１に登録されていると判定する。
【００３７】
このように、電力供給制御部１２９は、現在位置および現在時刻の組み合わせが定置位置時刻情報として登録されているか否かに基づいて近距離無線通信部１１２への電力供給を制御する。これにより、電力供給制御部１２９は、近距離無線通信部１１２が使用されない位置および時刻の頻出パターンを検出して近距離無線通信部１１２への電力供給を停止させることができる。従って、電力供給制御部１２９は、同じ会議室で毎日行われる会議への出席は自室での睡眠など、ユーザが同じ位置および時刻にて繰り返す行動パターンから、近距離無線通信部１１２が使用されない位置および時刻を検出して近距離無線通信部１１２への電力供給を停止させることができる。
【００３８】
位置時刻情報管理部１３２は、位置時刻情報記憶部１４１の記憶する位置時刻情報を管理する。特に、位置時刻情報管理部１３２は、位置時刻情報の新規保存や、位置時刻情報の削除や、出現頻度情報の更新や、現在位置および現在時刻と停止位置時刻情報との一致の有無の判定を行う。
具体的には、近距離無線通信部１１２が使用されていないと電力供給制御部１２９が判定した際、現在位置情報と現在時刻情報との組み合わせに該当する位置時刻情報が無い場合、位置時刻情報管理部１３２は、位置時刻情報を新たに生成して位置時刻情報記憶部１４１に保存する（記憶させる）。その際、位置時刻情報管理部１３２は、位置情報取得部１１６が取得した現在位置情報を、当該位置時刻情報の位置情報欄に格納する。また、位置時刻情報管理部１３２は、時計部１１５が取得した現在時刻情報を、当該位置時刻情報の時刻情報欄に格納する。また、位置時刻情報管理部１３２は、時計部１１５が取得した現在の日付の情報を、当該位置時刻情報の最新出現日情報欄に格納する。また、位置時刻情報管理部１３２は、当該位置時刻情報の出現頻度欄に、値「１」の（すなわち、出現回数１回を示す）出現頻度情報を格納する。また、位置時刻情報管理部１３２は、当該位置時刻情報の登録フラグ欄に、値「０」の（すなわち、登録前情報であることを示す）登録フラグを格納する。
【００３９】
また、位置時刻情報管理部１３２は、位置時刻情報記憶部１４１の記憶する位置時刻情報のうち、通信不使用の際の位置および時刻を示す情報としての出現頻度が低いものを削除する。具体的には、位置時刻情報管理部１３２は、位置時刻情報のうち、最新出現日からの経過日数（現在の日付との差）が所定日数以上のものを削除する。
【００４０】
ここで、位置時刻情報管理部１３２は、位置時刻情報記憶部１４１の記憶する位置時刻情報のうち停止位置時刻情報についても、通信不使用の際の位置および時刻を示す情報としての出現頻度が低いものを削除する。これにより、位置時刻情報管理部１３２は、位置時刻情報記憶部１４１の記憶する位置情報と時刻情報との組み合わせについて、当該位置情報が位置情報取得部１１６の取得した現在位置情報に一致し、当該時刻情報が時計部１１５の取得した現在時刻情報に一致し、かつ、通信不使用と判定される状態が、所定期間以上出現していないと判定すると、当該位置情報と当該時刻情報との組み合わせの、停止位置時刻情報としての登録を抹消する。
【００４１】
また、通信不使用との判定の際、位置時刻情報管理部１３２は、現在位置情報と現在時刻情報との組み合わせに該当する位置時刻情報があり、かつ、当該位置時刻情報が上述した削除の対象でないと判定すると、当該位置時刻情報の出現頻度情報に１を加算する。すなわち、位置時刻情報管理部１３２は、当該位置時刻情報の出現頻度情報をカウントアップさせる。
【００４２】
また、位置時刻情報管理部１３２は、電力供給制御部１２９からの要求に応じて、現在位置と現在時刻との組み合わせが停止位置時刻情報として登録されているか否かの判定を行う。具体的には、位置時刻情報管理部１３２は、位置時刻情報記憶部１４１の記憶する停止位置時刻情報のうち、位置情報の示す位置が現在位置と一致し、かつ、時刻情報の示す時刻が現在時刻と一致するものが存在するか否かを判定する。該当する停止位置時刻情報が存在すると判定した場合、位置時刻情報管理部１３２は、登録されているとの判定結果を電力供給制御部１２９に出力する。一方、該当する停止位置時刻情報が存在しないと判定した場合、位置時刻情報管理部１３２は、登録されていないとの判定結果を電力供給制御部１２９に出力する。
【００４３】
図４は、携帯電話機１００の装置構成を示す概略構成図である。同図において、携帯電話機１００は、携帯電話通信回路１５１と、近距離無線通信回路１５２と、表示デバイス１５３と、入力デバイス１５４と、時計装置１５５と、ＧＰＳ（Global Positioning System）装置１５６と、電源装置１５９と、ＣＰＵ１６０と、記憶デバイス１８０とを具備する。
【００４４】
携帯電話通信回路１５１は、携帯電話網の基地局と無線通信する通信回路であり、送信データを携帯電話網の送信波に変調して送信し、また、受信波を復調して受信データをＣＰＵ１６０へ出力する。携帯電話通信回路１５１は、携帯電話通信部１１１を実現する。
近距離無線通信回路１５２は、通信相手の機器と近距離無線通信する通信回路であり、送信データを近距離無線通信の送信波に変調して送信し、また、受信波を復調して受信データをＣＰＵ１６０へ出力する。近距離無線通信回路１５２は、近距離無線通信部１１２を実現する。
【００４５】
表示デバイス１５３は、例えば液晶パネルまたは有機ＥＬ（Organic Electro Luminescence）パネルなどの表示画面を有し、ＣＰＵ１６０から出力される画像信号に従って各種画像を表示する。表示デバイス１５３は、表示部１１３を実現する。
入力デバイス１５４は、例えば表示デバイス１５３の表示画面に設置されたタッチセンサ（タッチパネル）、または操作キーなどの入力デバイスにて構成され、ユーザ操作を受け付けて、受け付けた操作を示す信号をＣＰＵ１６０へ出力する。入力デバイス１５４は、操作入力部１１４を実現する。
【００４６】
時計装置１５５は、発振回路を有してクロック信号を生成し、当該クロック信号をカウントして現在時刻情報を取得（現在時刻を算出）する。時計装置１５５は、時計部１１５を実現する。
ＧＰＳ装置１５６は、ＧＰＳ衛星からのＧＰＳ信号を受信してＧＰＳ装置１５６自らの現在位置（従って、携帯電話機１００の現在位置）を測位する。ＧＰＳ装置１５６は、位置情報取得部１１６を実現する。
電源装置１５９は、二次電池を有し、携帯電話機１００の各部へ電力を供給する。電源装置１５９は、電源部１１９を実現する。
【００４７】
ＣＰＵ１６０は、記憶デバイス１８０からプログラムを読み出して実行することで主制御部１２０を実現し、携帯電話機１００の各部を制御する。
記憶デバイス１８０は、例えばＲＯＭ（Read Only Memory）やＲＡＭ（Random Access Memory）を含んで構成され、ＣＰＵ１６０が実行するプログラムなど各種データを記憶する。記憶デバイス１８０は記憶部１４０を実現する。
【００４８】
次に、図５および図６を参照して、携帯電話機１００の動作について説明する。
図５は、電力供給制御部１２９および位置時刻情報管理部１３２が行う処理の手順を示すフローチャートである。電力供給制御部１２９および位置時刻情報管理部１３２は、近距離無線通信部１１２が電源部１１９からの電力供給を受けて近距離通信機能がＯＮとなっている状態において、同図の処理を行う。
【００４９】
同図の処理において、電力供給制御部１２９は、近距離無線通信制御部１２２からの近距離無線通信部１１２の状態情報に基づいて、通信不使用に該当するか否かを判定する（ステップＳ１０１）。具体的には、電力供給制御部１２９は、近距離無線通信制御部１２２からの近距離無線通信部１１２の状態情報に基づいて、近距離無線通信部１１２が実データの送信または受信を行っているか否かを判定し、送信も受信も行っていない状態の継続時間を測定する。そして、電力供給制御部１２９は、近距離無線通信部１１２が実データの送信も受信も行っていない状態の継続時間が不使用閾値時間以上になると、通信不使用に該当すると判定し、それ以外の場合は通信不使用に該当しないと判定する。ここで、不使用閾値時間は、予め定められた時間を示す定数である。
【００５０】
ステップＳ１０１において、通信不使用に該当しないと判定した場合（ステップＳ１０１：ＮＯ）、ステップＳ１０１に戻る。
一方、ステップＳ１０１において、通信不使用に該当すると判定した場合（ステップＳ１０１：ＹＥＳ）、電力供給制御部１２９は、位置情報取得部１１６が現在位置情報を取得可能か否かを判定する（ステップＳ１０２）。現在位置情報を取得できないと判定した場合（ステップＳ１０２：ＮＯ）、ステップＳ１０１へ戻る。
【００５１】
一方、ステップＳ１０２において、位置情報取得部１１６が現在位置情報を取得可能であると判定した場合（ステップＳ１０２：ＹＥＳ）、電力供給制御部１２９は、現在位置および現在時刻に適合する停止位置時刻情報の有無の判定を位置時刻情報管理部１３２に要求する（ステップＳ１０３）。ここで、位置時刻情報が現在位置および現在時刻に適合するとは、当該位置時刻情報において、位置情報の示す位置が現在位置と一致し、時刻情報の示す時刻が現在時刻と一致することをいう。
電力供給制御部１２９からの要求を受けた位置時刻情報管理部１３２は、位置情報取得部１１６から現在位置情報を取得し、時計部１１５から現在時刻情報を取得する（ステップＳ１０４）。
【００５２】
そして、位置時刻情報管理部１３２は、削除すべき位置時刻情報が有るか否かを判定する（ステップＳ１０５）。具体的には、位置時刻情報管理部１３２は、位置時刻情報記憶部１４１の記憶する位置時刻情報のうち、当該位置時刻情報の位置情報と時刻情報とが、それぞれ現在位置情報と現在時刻情報とに一致し、かつ、最新出現日からの経過日数が削除閾値期間以上のものが有るか否かを判定する。ここで、削除閾値期間は、予め定められた日数を示す定数である。
【００５３】
削除すべき位置時刻情報が有ると判定した場合(ステップＳ１０５：ＹＥＳ)、位置時刻情報管理部１３２は、削除すべき位置時刻情報に該当する位置時刻情報を、位置時刻情報記憶部１４１から削除する（ステップＳ１０６）。
次に、位置時刻情報管理部１３２は、ステップＳ１０４で取得した現在位置情報および現在時刻情報に適合する停止位置時刻情報が有るか否かを判定する（ステップＳ１０７）。具体的には、位置時刻情報管理部１３２は、位置時刻情報記憶部１４１の記憶する停止位置時刻情報のうち、当該停止位置時刻情報の位置情報と時刻情報とが、それぞれ現在位置情報と現在時刻情報とに一致するものが有るか否かを判定する。
【００５４】
現在位置情報および現在時刻情報に適合する停止位置時刻情報が有ると判定した場合（ステップＳ１０７：ＹＥＳ）、位置時刻情報管理部１３２は、ステップＳ１０３での判定要求に対する回答として、適合する停止位置時刻情報が有る旨を電力供給制御部１２９へ回答する（ステップＳ１１１）。
当該回答を受けた電力供給制御部１２９は、近距離無線通信部１１２への電力供給を停止するよう電源部１１９を制御することで、近距離無線通信機能を停止させる（ステップＳ１１２）。
その後、同図の処理を終了する。
【００５５】
一方、ステップＳ１０７において、現在位置情報および現在時刻情報に適合する停止位置時刻情報が無いと判定した場合（ステップＳ１０７：ＮＯ）、位置時刻情報管理部１３２は、出現頻度情報の更新または位置時刻情報の新規保存を行う（ステップＳ１１２）。具体的には、位置時刻情報管理部１３２は、位置時刻情報記憶部１４１の記憶する位置時刻情報のうち、ステップＳ１０４で取得した現在位置情報および現在時刻情報に適合するものを検索する。適合する位置時刻情報を得られた場合、位置時刻情報管理部１３２は、当該位置時刻情報の出現頻度情報の値に１を加える（出現回数をカウントアップする）。一方、適合する位置時刻情報を得られなかった場合、位置時刻情報管理部１３２は、位置時刻情報を新たに生成して位置時刻情報記憶部１４１に保存する。その際、上述したように、位置時刻情報管理部１３２は、位置情報取得部１１６が取得した現在位置情報を、当該位置時刻情報の位置情報欄に格納する。また、位置時刻情報管理部１３２は、時計部１１５が取得した現在時刻情報を、当該位置時刻情報の時刻情報欄に格納する。また、位置時刻情報管理部１３２は、時計部１１５が取得した現在の日付の情報を、当該位置時刻情報の最新出現日情報欄に格納する。また、位置時刻情報管理部１３２は、当該位置時刻情報の出現頻度欄に、値「１」の出現頻度情報を格納する。また、位置時刻情報管理部１３２は、当該位置時刻情報の登録フラグ欄に、値「０」の登録フラグを格納する。
【００５６】
そして、位置時刻情報管理部１３２は、ステップＳ１０７で処理対象となった位置時刻情報の出現頻度情報を参照して、出現頻度が登録閾値頻度以上か否かを判定する（ステップＳ１２２）。ここで、登録閾値頻度は、予め定められた頻度（本実施形態では回数）を示す定数である。
【００５７】
出現頻度が登録閾値頻度以上であると判定した場合（ステップＳ１２２：ＹＥＳ）、位置時刻情報管理部１３２は、当該位置時刻情報を停止位置時刻情報として登録する（ステップＳ１２３）。具体的には、位置時刻情報管理部１３２は、当該位置時刻情報の登録フラグの値を「１」にする。但し、位置時刻情報管理部１３２は、今回の判定においては登録のみを行い、現在位置情報および現在時刻情報に適合する停止位置時刻情報の有無については、ステップＳ１０７での判定結果を保持する。
【００５８】
そして、位置時刻情報管理部１３２は、ステップＳ１０３での判定要求に対する回答として、適合する停止位置時刻情報が無い旨を電力供給制御部１２９へ回答する（ステップＳ１２４）。
その後、ステップＳ１０１へ戻る。
一方、ステップＳ１０５において、削除すべき位置時刻情報が無いと判定した場合(ステップＳ１０５：ＮＯ)、ステップＳ１０７へ進む。
一方、ステップＳ１２２において、出現頻度が登録閾値頻度未満であると判定した場合（ステップＳ１２２：ＮＯ）、ステップＳ１２４へ進む。
【００５９】
図６は、携帯電話機１００が通信不使用を検出して近距離無線通信機能を停止させる動作の例を示すシーケンス図である。同図に示す携帯情報端末２００は、近距離無線通信機能を有するが、直接ネットワークに接続する機能を有していない。そこで、携帯情報端末２００は、携帯電話機１００を介して携帯電話網に接続して通信を行う。
【００６０】
図６において、まず、携帯電話機１００は、近距離無線通信機能にて携帯情報端末２００へ通信確立リクエストを送信する（シーケンスＳ２０１）。
この通信確立リクエストに対し、携帯情報端末２００は、携帯電話機１００の認証を行う。図６の例では、携帯情報端末２００は認証に成功し、通信を確立させる旨のレスポンスを携帯電話機１００へ送信する（シーケンスＳ２０２）。これにより、携帯電話機１００と携帯情報端末２００との間に通信が確立する。
【００６１】
そして、携帯情報端末２００は、携帯電話機１００を介して通信電話網にデータを送信し（シーケンスＳ２０３、Ｓ２０５）、通信電話網からデータを受信する（シーケンスＳ２０４、Ｓ２０６）。図６の例において、携帯情報端末２００は、かかるデータの送受信を繰り返している。
一方、携帯情報端末２００とのデータの送受信を最後に行ったシーケンスＳ２０６から不使用閾値時間が経過すると、携帯電話機１００（電力供給制御部１２９）は、通信不使用を検出する（シーケンスＳ２０７）。このシーケンスＳ２０７は、図５のステップＳ１０１：ＹＥＳに相当する。
【００６２】
さらに、携帯電話機１００（位置時刻情報管理部１３２）は、現在位置情報および現在時刻情報に適合する停止位置時刻情報が位置時刻情報記憶部１４１に登録されていることを検出している（シーケンスＳ２０８）。このシーケンスＳ２０８は、図５のステップＳ１０７：ＹＥＳに相当する。
そして、携帯電話機１００（電力供給制御部１２９）は、電源部１１９から近距離無線通信部１１２への電力供給を停止させて近距離無線通信機能を停止させる（シーケンスＳ２０９）。このシーケンスＳ２０９は、図５のステップＳ１１２に相当する。
【００６３】
このように、携帯電話機１００（電力供給制御部１２９）は、通信不使用に該当し、かつ、現在位置および現在時刻に該当する停止位置時刻情報が登録されていると判定すると、近距離無線通信機能を停止させる。これにより、図２を参照して説明したように、電力供給制御部１２９は、ユーザが同じ位置および時刻にて繰り返す行動パターンから、近距離無線通信部１１２が使用されない位置および時刻を検出して近距離無線通信部１１２への電力供給を停止させることができる。近距離無線通信部１１２への電力供給停止にて、携帯電話機１００の消費電力を低減させることができる。
【００６４】
なお、不使用閾値時間や登録閾値頻度や削除閾値期間の値は、ユーザの生活パターンに応じて様々な値に設定することができる。例えば、削除閾値期間の値は、停止位置時刻情報に要求する、通信不使用の際の現在位置および現在時刻としての出現頻度に応じて設定することが考えられる。例えば、削除閾値期間の値を８日に設定すると、すなわち、通信不使用の際の現在位置および現在時刻としての出現が毎週またはそれ以下の頻度となっている停止位置時刻情報の登録を抹消することができる。
【００６５】
以上のように、位置時刻情報記憶部１４１は、近距離無線通信部１１２への電力供給を停止すべき位置および時刻の組み合わせを示す停止位置時刻情報を記憶しておく。そして、電力供給制御部１２９は、近距離無線通信部１１２が使用されていない場合に、位置情報取得部１１６が取得した現在位置情報と時計部１１５が取得した現在時刻情報との組み合わせが、位置時刻情報記憶部１４１の記憶している停止位置時刻情報に該当するか否かを判定する。
このように、電力供給制御部１２９が、位置情報と時刻情報との組み合わせに基づいて近距離無線通信部１１２への電力供給を停止するか否かを判定することで、同一の場所においても通信機能のＯＮ／ＯＦＦ（近距離無線通信部１１２への電力供給の有無）を切り替え得る。近距離無線通信部１１２への電力供給を停止することで、携帯電話機１００の消費電力を低減させることができる。従って、携帯電話機１００における効率的な電力活用が可能になる。また、電力供給制御部１２９が、自動的に、近距離無線通信部１１２への電力供給を停止して近距離無線通信機能を停止させることで、近距離無線通信機能を停止させるユーザ操作が不要となる。この点で、ユーザの手間を削減できる。
【００６６】
また、位置時刻情報記憶部１４１は、位置情報と時刻情報との組み合わせ毎（位置時刻情報毎）に、位置情報取得部１１６が取得した現在位置情報と時計部１１５が取得した現在時刻情報との組み合わせとしての出現頻度を示す出現頻度情報を記憶する。そして、電力供給制御部１２９は、近距離無線通信部１１２が使用されておらず、かつ、前記位置情報取得部が取得した前記現在位置情報と前記時計部が取得した前記現在時刻情報との組み合わせの出現頻度が所定の閾値以上であると判定すると、近距離無線通信部１１２への電力供給を停止させる。
すなわち、電力供給制御部１２９は、通信不使用に該当し、かつ、現在位置および現在時刻に該当する停止位置時刻情報が登録されていると判定すると、近距離無線通信機能を停止させる。これにより、電力供給制御部１２９は、ユーザが同じ位置および時刻にて繰り返す行動パターンから、近距離無線通信部１１２が使用されない位置および時刻を検出して近距離無線通信部１１２への電力供給を停止させることができる。この点において、電力供給制御部１２９は、近距離無線通信部１１２が使用されない位置および時刻をより高精度に検出し、近距離無線通信部１１２への電力供給を停止させ得る。
【００６７】
また、位置時刻情報管理部１３２は、位置時刻情報記憶部１４１の記憶する位置情報と時刻情報との組み合わせについて、当該位置情報が位置情報取得部１１６の取得した現在位置情報に一致し、当該時刻情報が時計部１１５の取得した現在時刻情報に一致し、かつ、近距離無線通信部１１２が使用されていないと判定される状態が、所定期間以上出現していないと判定すると、当該位置情報と当該時刻情報との組み合わせの、停止位置時刻情報としての登録を抹消する。
これにより、位置時刻情報管理部１３２は、ユーザの行動パターンの変化にて、近距離無線通信部１１２を停止させるべき位置および時刻に該当しなくなった停止位置時刻情報の登録を抹消することができる。位置時刻情報管理部１３２が当該登録抹消を行うことで、電力供給制御部１２９は、近距離無線通信部１１２が使用されない位置および時刻をより高精度に検出し、近距離無線通信部１１２への電力供給を停止させ得る。
【００６８】
なお、電力供給制御部２９や位置時刻情報管理部１３２や主制御部１２０の全部または一部の機能を実現するためのプログラムをコンピュータ読み取り可能な記録媒体に記録して、この記録媒体に記録されたプログラムをコンピュータシステムに読み込ませ、実行することで各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００６９】
以上、本発明の実施形態を図面を参照して詳述してきたが、具体的な構成はこの実施形態に限られるものではなく、この発明の要旨を逸脱しない範囲の設計変更等も含まれる。
【符号の説明】
【００７０】
１  電子機器
１２  通信部
１５、１１５  時計部
１６、１１６  位置情報取得部
１９、１１９  電源部
２９、１２９  電力供給制御部
４１、１４１  位置時刻情報記憶部
１００  携帯電話機
１１１  携帯電話通信部
１１２  近距離無線通信部
１１３  表示部
１１４  操作入力部
１２０  主制御部
１２１  携帯電話通信制御部
１２２  近距離無線通信制御部
１２３  表示制御部
１２４  入力処理部
１３１  アプリケーション実行部
１３２  位置時刻情報管理部
１４０  記憶部
【図１】
2013251693.tif 000003
【図２】
2013251693.tif 000004
【図３】
2013251693.tif 000005
【図４】
2013251693.tif 000006
【図５】
2013251693.tif 000007
【図６】
2013251693.tif 000008